(57)【要約】【課題】簡素な構成としながらも、着座者の背に好適に支持し得る背凭れを具備してなる椅子を提供する。【解決手段】本発明に係る椅子１は、背凭れ４が、座３の後部両端から立設された立設部４５及び当該立設部４５の上端間を横架する横架部４６を有する背枠４１と、座３の後部中央から背枠４１と離間しつつ着座者の背を支持し得るように立設され背枠４１とは独立して弾性変形し得る背当て４２とを具備することを特徴とする。斯かる構成とすることにより、背凭れ４を座３と一体に構成している構成においても着座者の上体を好適に支持し得る背凭れ４を容易に構成することができる。換言すれば、背凭れ４を構成する製造工程を簡略化することができ、その結果椅子１全体としての製造コストを低減させることも実現し得る。【選択図】図１
2018086191.tif 000002
【特許請求の範囲】
【請求項１】
弾性変形し得る板材からなる座と、当該座とは一体に構成される板材からなる背凭れとを具備する椅子であって、
前記背凭れが、
前記座の後部両端から立設された立設部及び当該立設部の上端間を横架する横架部を有する背枠と、
前記背枠と離間しつつ着座者の背を支持し得るように立設され前記背枠とは独立して弾性変形し得る背当てとを具備することを特徴とする椅子。
【請求項２】
前記板材が、薄板状をなす木板を積層した成形材である請求項１記載の椅子。
【請求項３】
前記背凭れが、前記背枠と前記背当てとの間に正面視チャネル状をなすスリットを有している請求項１又は２記載の椅子。
【請求項４】
前記スリットの下端が、座の後端である背座境界部分にまで至っている請求項３記載の椅子。
【請求項５】
前記背凭れは、炭素繊維を含んでなる積層材からなる成形材である請求項１〜４の何れかに記載の椅子。
【請求項６】
前記背凭れが、板材を周囲の部分よりも幅狭又は薄肉に形成することにより優先して弾性変形し得る弾性変形部を有している請求項１〜５の何れかに記載の椅子。
【発明の詳細な説明】
【技術分野】
【０００１】
本発明は、オフィス等において好適に利用される椅子に関するものである。
【背景技術】
【０００２】
従来、背凭れを具備する椅子において、着座者の上体を好適に支持すべく、背凭れにおいて着座者の背上部を支持するための部分と着座者の腰部近傍を支持するための部分とを別体に構成する椅子が種々提案されている（例えば、特許文献１参照）。
【０００３】
他方、同様に背凭れを具備する椅子においても、全体の構成をシンプルなものとすべく、板材を適宜湾曲或いは屈曲させることにより、座及び背凭れを板材により一体に構成している椅子が提案されている。
【先行技術文献】
【特許文献】
【０００４】
【特許文献１】特表平４−５８９０５号公報
【発明の概要】
【発明が解決しようとする課題】
【０００５】
また座及び背凭れを板材により一体に構成している椅子においても、背凭れの形状は様々に成形することにより背凭れに適宜凹みや開口を設け、持ち運びを行い易いように構成したものも多く提案されている。
【０００６】
しかしながら、座及び背凭れを板材により一体に構成している椅子においても、上記特許文献１同様に、着座者の上体のそれぞれの箇所ごとに好適に支持し得る背凭れを構成する椅子が望まれているのが現状である。
【０００７】
本発明は、上記のような課題を解消することを目的としており、簡素な構成としながらも、着座者の背に好適に支持し得る背凭れを具備してなる椅子を提供する。
【課題を解決するための手段】
【０００８】
本発明は、かかる目的を達成するために、次のような手段を講じたものである。
【０００９】
すなわち、本発明に係る椅子は、弾性変形し得る板材からなる座と、当該座とは一体に構成される板材からなる背凭れとを具備する椅子であって、前記背凭れが、前記座の後部両端から立設された立設部及び当該立設部の上端間を横架する横架部を有する背枠と、前記背枠と離間しつつ着座者の背を支持し得るように立設され前記背枠とは独立して弾性変形し得る背当てとを具備することを特徴とする。
【００１０】
このようなものであれば、背凭れを座と一体に構成している構成においても着座者の上体を好適に支持し得る背凭れを容易に構成することができる。換言すれば、背凭れを構成する製造工程を簡略化することができ、その結果椅子全体としての製造コストを低減させることにも資する。
【００１１】
そして、簡素な構成としつつも必要十分な強度を有するようにするためには、背凭れを構成する板材は、薄板状をなす木板を積層した成形材とすることが望ましい。
【００１２】
また、着座者の上体を好適に支持するための背凭れの具体的な構成として、背凭れが、背枠と前記背当てとの間に正面視チャネル状をなすスリットを有している構成を挙げることができる。
【００１３】
そして、背当てが特に着座者の腰部を弾性変形可能に支持することにより快適な着座感を付与し得るようにするためには、スリットの下端を、座の後端である背座境界部分にまで至らせている構成とすることが望ましい。
【００１４】
そして、適度な座のクッション性並びに背凭れの反力を獲得し得るための構成として、背凭れは、炭素繊維を含んでなる積層材からなる成形材である構成とすることが望ましい。
【００１５】
加えて、着座者の上体をより好適に支持するための背凭れの構成として、背凭れに、板材を周囲の部分よりも幅狭又は薄肉に形成することにより優先して弾性変形し得る弾性変形部を設けることが好ましい。
【発明の効果】
【００１６】
本発明は、以上説明した構成であるから簡素な構成としながらも、着座者の背に好適に支持し得る背凭れを具備してなる椅子を提供することができる。
【図面の簡単な説明】
【００１７】
【図１】本発明の一実施形態に係る斜視図。
【図２】同正面図。
【図３】同平面図。
【図４】同右側面図。
【図５】同実施形態に係る作用説明図。
【図６】同実施形態の変形例に係る正面図。
【図７】同実施形態の他の変形例に係る正面図。
【発明を実施するための形態】
【００１８】
以下、本発明の一実施形態を、図１〜図５を参照して説明する。
【００１９】
本実施形態に係る椅子１は、例えばオフィスやミーティングスペースにおいて好適に利用されるものである。この椅子１は、例えば同形状をなす椅子１同士を上下方向に隙間無く重ねて保持し得る、所謂スタッキング可能に構成されたものとしてもよい。当該椅子１は、脚パイプ２１を主体とする脚２と、この脚２の上端に固定される座３と、座３の下面側から座３の上方へ湾曲しつつ延出する座３と一体に成形された背凭れ４とを有するものである。
【００２０】
本実施形態では座３及び背凭れ４を一体に成形している弾性変形し得る板材として適用した素材として、炭素繊維を含んでなる積層材からなる成形材１００を用いている。当該成形材１００については一例として、薄板状をなす木板を積層した成形材１００としている。少なくとも芯材及び木質系表面材を有する積層一体構造の貼り合わせ積層材であって、芯材と木質系表面材との間に、炭素繊維シートに炭素繊維強化樹脂を含浸硬化させてなる強化層を有するとともに、強化層と木質系表面材との間に、不透水性の浸透防止層を有した貼り合わせ積層材を挙げることができる。当該成形材１００たる貼り合わせ積層材の更なる具体的な態様としては、炭素繊維シートの具体的な態様や各素材を積層させる態様などは、種々の態様を適用することができる。また勿論、上記の態様の他、炭素繊維を含まない成形合板を用いた態様としても良い。
【００２１】
ここで、本実施形態に係る椅子１は、背凭れ４が、座３の後部両端から立設された立設部４５及び当該立設部４５の上端間を横架する横架部４６を有する背枠４１と、座３の後部中央から背枠４１と離間しつつ着座者の背を支持し得るように立設され背枠４１とは独立して弾性変形し得る背当て４２とを具備することを特徴とする。以下、椅子１の各部の構成について説明する。
【００２２】
脚２は、例えばアーチ状に成形された金属製の丸パイプからなる脚パイプ２１と、前後にそれぞれ配された脚パイプ２１同士を例えば溶接により固定しつつ座３に固定する固定部材２２とを有している。脚パイプ２１は、座３の前方に配された対をなす前脚パイプ２１ａと、この前脚パイプ２１ａよりも幅寸法を大きく設定された対をなす後脚パイプ２１ｂとを有している。本実施形態では一例として、前後に対をなすように正面視アーチ形状をなす脚パイプ２１を配した構成を開示したが勿論、左右に対をなすように側面視アーチ形状をなす脚パイプ２１を配した構成とし、固定部材２２が脚パイプ２１同士を前後に連結する態様としてもよい。
【００２３】
座３は、平面視概略矩形状をなす座板３０を主体としたものであり、この座板３０の上面において着座者を支持する座面３１と、座板３０の下面側において上記脚２を固定するための脚取付部３２と、座３の後端において背凭れ４に連続する背座境界部分である後端部３３とを有している。そしてこの後端部３３は背凭れ４へと成形材１００を連続させてなる接続縁３４と、背凭れ４と連続せずに端縁が露出している露出端３５とを有している。
【００２４】
背凭れ４は上述の通り、本実施形態では、当該座３とは一体に構成され且つ座３の後端から立設されてなるものであり、背凭れ４の外形をなす背枠４１と、この背枠４１から離間して設けられ座３の後端部３３中央から立設される背当て４２と、これら背枠４１及び背当て４２との間に介在する開口であるスリット４３とを有したものである。背枠４１は、背座境界部分である座３の後端部３３の両縁における接続端３４から立設されてなる立設部４５と、この立設部４５の上端同士を横架する横架部４６とを有した正面視略チャネル状をなすものである。この背枠は、主に立設部４５の上部から横架部４６に亘る部分において着座者の背上部を好適に支持すべく弾性変形し得るものである。背当て４２は、本実施形態では背座境界部分である座３の後端部３３の中央における接続縁から立設されてなる正面視略矩形状をなすものであり、背枠４１とは独立して弾性変形することにより、着座者の腰部から背中央に亘る箇所を好適に支持し得るものである。当該背当て４２の幅立設部の幅よりよりも長いことにより弾性変形が小さくなり、着座者の腰部から背中央に亘る箇所を好適に支持し得るものである。スリット４３は、背枠４１及び背当て４２との間に介在する成形材１００に設けられた開口である。具体的には当該スリット４３は、正面視逆Ｕ字状をなし、両端の下端部がそれぞれ座３の後端部３３における露出端３５に接続した形状をなす。
【００２５】
このような形状をなす本実施形態に係る椅子１では、着座者が着座した際、背枠４１及び背当て４２がスリット４３を介して座３から完全に独立した形状をなし、それぞれが成形材１００の特性による弾性変形が可能となっている。それ故、着座者は背上部及び腰部それぞれが好適に支持されることによって快適な座り心地を得ることができる。
【００２６】
以上のように、本実施形態に係る椅子１は、背凭れ４が、前記座３の後部たる後端部３３の両端の接続端３４から立設された立設部４５及び当該立設部４５の上端間を横架する横架部４６を有する背枠４１と、座３の後部中央における接続端３４から背枠４１と離間しつつ着座者の背を支持し得るように立設され背枠４１とは独立して弾性変形し得る背当て４２とを具備することを特徴とする。
【００２７】
斯かる構成とすることにより、背凭れ４を座３と一体に構成している構成においても着座者の上体を好適に支持し得る背凭れ４を容易に構成することができる。換言すれば、背凭れ４を構成する製造工程を簡略化することができ、その結果椅子１全体としての製造コストを低減させることも実現し得る。
【００２８】
そして本実施形態では、座３及び背凭れ４を構成する板材として十分な強度を確保すべく、薄板状をなす木板を積層した成形材１００を適用している。
【００２９】
また、着座者の上体を好適に支持するための背凭れ４の具体的な構成として本実施形態では、背凭れ４が、背枠４１と背当て４２との間に正面視チャネル状をなすスリット４３を有している構成を適用している。
【００３０】
加えて本実施形態では、背当て４２が特に着座者の腰部を弾性変形可能に支持することにより快適な着座感を付与し得るようにするために、スリット４３の下端を、座３の後端である背座境界部分たる後端部３３にまで至らせている。
【００３１】
そして、適度な座３のクッション性並びに背凭れ４の反力を獲得し得るための構成として本実施形態では、座３と一体に形成されている背凭れ４は、炭素繊維を含んでなる積層材からなる成形材１００を適用している。
【００３２】
＜変形例＞
【００３３】
以下、本実施形態の変形例について図６に示して説明する。当該変形例について、上記実施形態の構成要素に相当するものに対しては同じ符号を付すとともに、その詳細な説明を省略する。
【００３４】
上記実施形態では背枠４１を成形材１００の幅寸法、厚み寸法を一定とした逆Ｕ字状とし、背当て４２を略矩形状とすることにより、背枠４１、背当て４２それぞれが均一に弾性変形し得る態様としたが勿論、本発明は上記実施形態に限定されるものではない。
【００３５】
すなわち図６に示すように、本変形例では一例として、背枠４１の一部分の幅寸法を周囲の部分よりも小さくすべくスリット４３の形状を設定することにより、当該幅寸法を小さくした部分を優先的に弾性変形させ得る弾性変形部４４に設定したものである。このようなものであれば、より着座者の上体すなわち背の動作に追従し得る背凭れ４を構成することができる。また当該弾性変形部４４は、背当て４２の幅寸法を小さくすることにより背当て４２側に設ける態様を否定するものではない。更に当該変形例では図示しないが、背凭れ４を構成する成形材１００の厚みを周囲の部分よりも局所的に薄く構成することによっても、同様の弾性変形部４４を構成し得ることはいうまでもない。
【００３６】
また図７に示すように、上記実施形態ではスリット４３の下端を背座境界部分である座３の後端部３３の露出端３５にまで至らしめる態様を開示したが勿論、背当て４２の下端を位置づけるためのスリット４３の下端４３ａの位置を、座３の後端部３３よりも上側に位置づけた態様としてもよい。すなわち同図に示す椅子は座３の後端部３３が接続端３４のみからなり、上記実施形態における露出端３５を設ける代わりに接続端の上方にスリット４３の下端４３ａを位置付けて、背当て４２を上記実施形態よりも上方へ位置付けた態様を図示している。
【００３７】
このようなものであっても、背当て４２が着座者の上体を支持しながら好適に弾性変形し得るものとなるため、上記実施形態同様の作用効果を奏し得る。
【００３８】
以上、本発明の一実施形態について説明したが、各部の具体的な構成は、上述した実施形態のみに限定されるものではなく、本発明の趣旨を逸脱しない範囲で種々変形が可能である。
【００３９】
例えば上記実施形態では上下方向にスタッキング可能な態様の椅子を開示したが勿論、脚がキャスタに支持された脚羽根からなるものとし、脚羽根の中央から立設される脚支柱を中心に座が回転可能である所謂事務用回転椅子の構成を本発明に適用しても良い。
【００４０】
また、背や座を構成する素材の具体的な態様や、成形材の積層構造といった具体的な形状や仕様といったその他の詳細な構成も、本発明の趣旨を逸脱しない範囲で種々変形が可能である。
【符号の説明】
【００４１】
１・・・椅子
３・・・座
３３・・・後端部
４・・・背凭れ
４１・・・背枠
４２・・・背当て
４３・・・スリット
４４・・・弾性変形部
４５・・・立設部
４６・・・横架部
１００・・・成形材
【図１】
2018086191.tif 000003
【図２】
2018086191.tif 000004
【図３】
2018086191.tif 000005
【図４】
2018086191.tif 000006
【図５】
2018086191.tif 000007
【図６】
2018086191.tif 000008
【図７】
2018086191.tif 000009